(57)【要約】【課題】部品点数の増加を回避しつつ、円滑な開動作を確保すると共に、開蓋終了時の動作の安定化を図る。【解決手段】回動支点１６を中心に回動可能な前蓋３１と、ピン３５を有すると共にヒンジ３３によって前蓋３１に対して相対的に回動可能に連結された後蓋３２と、ガイド溝部２０と、開行程において後蓋３２と当接することで、前蓋３１および後蓋３２のそれぞれの開行程終了位置を規制すると共に前蓋３１および後蓋３２を全開状態にするストッパ部１７と、を有し、ガイド溝部２０における、開行程においてピン３５と係合する全領域のうち、全開状態においてピン３５と係合する位置の近傍の領域（２０ｂ）の溝幅（Ｂ２）は他の領域（２０ａ）の溝幅（Ｂ１）に比し狭い、鍵盤楽器の蓋構造を提供する。【選択図】図１
2020106750.tif 000002
【特許請求の範囲】
【請求項１】
楽器本体に固定された回動支点を中心に回動可能な前蓋と、
係合部を有すると共に、ヒンジによって前記前蓋に対して相対的に回動可能に連結された後蓋と、
前記楽器本体に設けられ、前記後蓋の前記係合部と係合し、前記前蓋および前記後蓋の開閉行程において前記係合部をガイドするための被係合部と、
前記楽器本体に固定されたストッパ部であって、前記前蓋および前記後蓋の開行程において前記後蓋と当接することで前記前蓋および前記後蓋のそれぞれの開行程終了位置を規制すると共に、開行程終了位置を規制することにより前記前蓋および前記後蓋を全開状態にするストッパ部と、を有し、
前記係合部および前記被係合部の一方はピンであり、他方はガイド溝部であり、
前記前蓋および前記後蓋の開行程において、前記係合部と前記被係合部との係合により、前記後蓋は前記ピンを中心とした回動変位を伴って移動し、
前記ガイド溝部における、前記前蓋および前記後蓋の開行程において前記ピンと係合する全領域のうち、前記前蓋および前記後蓋の前記全開状態において前記ピンと係合する位置の近傍の領域の溝幅は他の領域の溝幅に比し狭い、鍵盤楽器の蓋構造。
【請求項２】
前記ガイド溝部における、前記前蓋および前記後蓋の前記全開状態において前記ピンと係合する位置の近傍の領域の溝幅は前記ピンの直径と略等しい、請求項１に記載の鍵盤楽器の蓋構造。
【請求項３】
前記被係合部は前記ガイド溝部であり、前記係合部は前記ピンである、請求項１または２に記載の鍵盤楽器の蓋構造。
【請求項４】
前記前蓋および前記後蓋の全閉状態においては、前記ストッパ部は前記前蓋および前記後蓋に隠れて見えない、請求項１〜３のいずれか１項に記載の鍵盤楽器の蓋構造。
【請求項５】
楽器本体に固定された回動支点を中心に回動可能な前蓋と、
係合部を有すると共に、ヒンジによって前記前蓋に対して相対的に回動可能に連結された後蓋と、
前記楽器本体に設けられ、前記後蓋の前記係合部と係合し、前記前蓋および前記後蓋の開閉行程において前記係合部をガイドするための被係合部と、
前記楽器本体に固定されたストッパ部であって、前記前蓋および前記後蓋の開行程において前記後蓋と当接することで前記前蓋および前記後蓋のそれぞれの開行程終了位置を規制すると共に、開行程終了位置を規制することにより前記前蓋および前記後蓋を全開状態にするストッパ部と、を有し、
前記被係合部は、前記前蓋および前記後蓋の開行程における全行程で前記係合部の移動をガイドする機能を果たすと共に、前記開行程の終了の際には、前記後蓋が前記ストッパ部に当接したときの前記ストッパ部を支点とした前記後蓋の回動方向のがたつきを抑制する機能を果たす、鍵盤楽器の蓋構造。
【請求項６】
前記係合部および前記被係合部の一方はピンであり、他方はガイド溝部であり、
前記前蓋および前記後蓋の開行程において、前記係合部と前記被係合部との係合により、前記後蓋は前記ピンを中心とした回動変位を伴って移動する、請求項５に記載の鍵盤楽器の蓋構造。
【請求項７】
前記被係合部は前記ガイド溝部であり、前記係合部は前記ピンである、請求項６に記載の鍵盤楽器の蓋構造。
【請求項８】
前記ガイド溝部における、前記開行程の終了の際に前記ピンと係合する領域の溝幅は前記ピンの直径と略等しい、請求項７に記載の鍵盤楽器の蓋構造。
【請求項９】
前記前蓋および前記後蓋の全閉状態においては、前記ストッパ部は前記前蓋および前記後蓋に隠れて見えない、請求項５〜８のいずれか１項に記載の鍵盤楽器の蓋構造。
【請求項１０】
請求項１〜９のいずれか１項に記載の鍵盤楽器の蓋構造を有する、鍵盤楽器。
【発明の詳細な説明】
【技術分野】
【０００１】
本発明は、前蓋と後蓋とがヒンジによって相対的に回動可能に連結される、鍵盤楽器の蓋構造、鍵盤楽器に関する。
【背景技術】
【０００２】
従来、前蓋と後蓋とがヒンジによって相対的に回動可能に連結される、鍵盤楽器の蓋構造が知られている。下記特許文献１には、前蓋（前カバー）が楽器本体に回動自在に支持されると共に、後蓋（後カバー）が、側板に設けられた案内機構によって移動可能に支持される電子鍵盤楽器が記載されている。側板には第１のストッパおよび第２のストッパが設けられ。開蓋行程においては、前蓋を開方向に回動させると、それに連動して後蓋も回動する。やがて、前蓋が第１のストッパに当接すると共に、後蓋が第２のストッパに当接することで、前蓋および後蓋の開行程終了位置が規制されて全開状態となる。
【先行技術文献】
【特許文献】
【０００３】
【特許文献１】特開２００４−３０２４１９号公報
【発明の概要】
【発明が解決しようとする課題】
【０００４】
しかしながら、上記特許文献１では、前蓋および後蓋の開行程終了位置を規制するために、２つのストッパを設ける必要があるため、部品点数が多い。なお、仮に、後蓋用のストッパのみを設ける構成を採用したとすると、前蓋および後蓋の回動変位は規制され得るが、特に開蓋終了時にがたつきが生じ、動作が不安定になるおそれがある。
【０００５】
本発明の目的は、部品点数の増加を回避しつつ、円滑な開動作を確保すると共に、開蓋終了時の動作の安定化を図ることができる鍵盤楽器の蓋構造、鍵盤楽器を提供することである。
【課題を解決するための手段】
【０００６】
上記目的を達成するために本発明によれば、楽器本体に固定された回動支点を中心に回動可能な前蓋と、係合部を有すると共に、ヒンジによって前記前蓋に対して相対的に回動可能に連結された後蓋と、前記楽器本体に設けられ、前記後蓋の前記係合部と係合し、前記前蓋および前記後蓋の開閉行程において前記係合部をガイドするための被係合部と、前記楽器本体に固定されたストッパ部であって、前記前蓋および前記後蓋の開行程において前記後蓋と当接することで前記前蓋および前記後蓋のそれぞれの開行程終了位置を規制すると共に、開行程終了位置を規制することにより前記前蓋および前記後蓋を全開状態にするストッパ部と、を有し、前記係合部および前記被係合部の一方はピンであり、他方はガイド溝部であり、前記前蓋および前記後蓋の開行程において、前記係合部と前記被係合部との係合により、前記後蓋は前記ピンを中心とした回動変位を伴って移動し、前記ガイド溝部における、前記前蓋および前記後蓋の開行程において前記ピンと係合する全領域のうち、前記前蓋および前記後蓋の前記全開状態において前記ピンと係合する位置の近傍の領域の溝幅は他の領域の溝幅に比し狭い、鍵盤楽器の蓋構造が提供される。
【発明の効果】
【０００７】
本発明によれば、部品点数の増加を回避しつつ、円滑な開動作を確保すると共に、開蓋終了時の動作の安定化を図ることができる。
【図面の簡単な説明】
【０００８】
【図１】蓋体の全閉状態における鍵盤楽器の縦断側面図である。
【図２】ガイド溝部の構成を示す側板の部分側面図である。
【図３】蓋体の開閉行程途中における鍵盤楽器の縦断側面図である。
【図４】蓋体の開閉行程途中における鍵盤楽器の縦断側面図である。
【図５】蓋体の全開状態における鍵盤楽器の縦断側面図である。
【図６】変形例のガイド溝部を示す図である。
【図７】変形例の蓋構造の模式図である。
【発明を実施するための形態】
【０００９】
以下、図面を参照して本発明の実施の形態を説明する。
【００１０】
図１は、本発明の一実施の形態に係る蓋構造が適用される鍵盤楽器の縦断側面図である。この鍵盤楽器は、例えば、電子ピアノとして構成される。図１では、鍵盤楽器の筐体１０（楽器本体）が示され、脚部の図示は省略されている。また、音発生等のための電気・電子部品の図示も省略されている。なお、本発明の蓋構造が適用される鍵盤楽器は、アコースティックピアノでもよく、また、脚部を有することは必須でない。筐体１０の左右方向は、演奏者から見た方向で呼称する。また、前後方向については、演奏者から遠い側（図１の左方）を後方とする。図１では、筐体１０の右側部が内側から見えている。
【００１１】
筐体１０は、棚板１１、天板１３、背板１２、口棒部１４、前框１８、２つの側板１５等から構成される。図１には、左右の側板１５のうち右側の側板１５だけが表れている。筐体１０内において、棚板１１の上には鍵フレーム１９が配設されている。鍵フレーム１９に、それぞれ複数の白鍵ＷＫ及び黒鍵ＢＫからなる鍵盤部ＫＢが配設される。
【００１２】
本発明の蓋構造は、主に、蓋体３０と、回動支点１６と、ガイド溝部２０と、ストッパ部１７とを有する。ガイド溝部２０は、右側の側板１５の内側（左面）に形成される。ストッパ部１７および回動支点１６はいずれも、右側の側板１５の内側に固定されている。本蓋構造は左右対称である。蓋体３０は左右方向において左右の側板１５間に亘って配置される。回動支点１６、ガイド溝部２０およびストッパ部１７については、左側にも同様のものが配置される。以降、左右対称の構成要素を詳細に説明する際には、代表して右側のものを説明する。
【００１３】
蓋体３０は、前蓋３１、後蓋３２およびヒンジ３３から構成される。後蓋３２は、ヒンジ３３によって、前蓋３１に対して相対的に回動可能に連結されている。前蓋３１は、回動支点１６を中心に回動可能である。通常、ユーザは、前蓋３１を把持して蓋体３０の開閉操作を行う。前蓋３１と後蓋３２とは、開閉操作されることで連動して変位する。図１では、蓋体３０の全閉状態が示されている。全閉状態においては、前蓋３１と後蓋３２とは前後に並ぶ。後蓋３２の後部下部には、支持板３４が下方に延出して設けられている。支持板３４には、左右方向を軸方向とするピン３５が設けられている。右側のピン３５は右方に突出し、左側の不図示のピンは左方に突出している。ピン３５は、被係合部であるガイド溝部２０と係合する係合部である。蓋体３０の開閉行程において、ピン３５がガイド溝部２０にガイドされる。すなわち、ガイド溝部２０は、蓋体３０の開閉行程における全行程でピン３５の移動をガイドする機能を果たす。
【００１４】
図２は、ガイド溝部２０の構成を示す側板１５の部分側面図である。図３、図４は、蓋体３０の開閉行程途中における鍵盤楽器の縦断側面図である。図５は、蓋体３０の全開状態における鍵盤楽器の縦断側面図である。図５は、蓋体３０を開いた全開状態を示す。図３、図４は、開閉行程の途中状態を示している。全閉状態（図１）から全開状態（図５）までの行程が開行程であり、全開状態から全閉状態までの行程が閉行程である。図２に示すピン３５ａ、３５ｂ、３５ｃ、３５ｄはそれぞれ、全閉状態（図１）、途中状態（図２）、途中状態（図３）、全開状態（図５）におけるピン３５の位置を示している。
【００１５】
図２に示すように、ガイド溝部２０は略前後方向に形成される。ガイド溝部２０は、天井面２２、２３、２４と底面２１とを有する。なお、ガイド溝部２０の下側の面には滑り性を高めるためのシート材２５が貼り付けられている。このシート材２５の上側の露出面がガイド溝部２０の底面２１となる。ガイド溝部２０の長手方向における全領域は、前側から順に、第１領域２０ａ、第２領域２０ｂ、第３領域２０ｃに大別される。第１領域２０ａにおいて、天井面２２と底面２１との間隔である第１の溝幅はＢ１である。第２領域２０ｂにおいて、天井面２４と底面２１との間隔である第２の溝幅はＢ２である。第１領域２０ａにおいて、天井面２４に連接する天井面２３は斜面である。従って、天井面２４、天井面２３と底面２１との間隔は、第２領域２０ｂに近くなるほど狭くなり、第２の溝幅はＢ２に近くっている。なお、第３領域２０ｃは、ガイド溝部２０にシート材２５を貼り付ける作業を容易にするために設けられた空間であり、蓋体３０のガイド機能上は必須でない。
【００１６】
ガイド溝部２０の第２領域２０ｂは、蓋体３０の全開状態においてピン３５と係合する位置の近傍の領域である。第２領域２０ｂにおける第２の溝幅Ｂ２は第１の溝幅Ｂ１より狭い。第１の溝幅Ｂ１は、ピン３５の直径より大きい。第２の溝幅Ｂ２は、ピン３５の直径と同じかまたは、ピン３５の直径よりわずかに大きい。なお、蓋体３０の全開状態においてピン３５と係合する位置の近傍の領域は、天井面２３と底面２１とが対向する領域を含むと考えてもよい。
【００１７】
次に、蓋体３０の開閉動作を説明する。全閉状態において、ユーザが前蓋３１の前端部を上方に移動させると、前蓋３１は、回動支点１６を中心に図１の反時計方向に回動する。その際、ヒンジ３３の移動に連動して、後蓋３２が変位すると共に、ピン３５がガイド溝部２０を摺動する。従って、後蓋３２は回動変位を伴って略後方に移動していく。後蓋３２の移動の際、後蓋３２の自重により、ピン３５はガイド溝部２０の底面２１と当接する（ピン３５ｂ、３５ｃ）。途中状態（図４）からさらに、ユーザが前蓋３１を反時計方向に回動させると、ピン３５は第１領域２０ａの後部を通過して、第２領域２０ｂに入り、後蓋３２はピン３５を中心として時計方向にわずかに回動する。
【００１８】
その後、後蓋３２がストッパ部１７に当接することで、後蓋３２の開行程終了位置が規制される。後蓋３２が変位できなくなると、後蓋３２にヒンジ３３で接続されている前蓋３１も変位できなくなる。従って、後蓋３２の開行程終了位置が規制されると、それに連動して、前蓋３１の開行程終了位置も規制される。前蓋３１および後蓋３２の開行程終了位置が規制されることで、蓋体３０は全開状態となる（図５）。
【００１９】
全開状態においては、ピン３５が天井面２４と底面２１との間に位置する（ピン３５ｄ）。第２の溝幅Ｂ２は、ピン３５の直径に対して同じかまたはわずかに大きいので、開行程終了時には、ピン３５は天井面２４と底面２１との間に嵌るように係合する。ここで、第１領域２０ａの後部には、斜面である天井面２３が形成されているので、ピン３５が天井面２４と底面２１との間に円滑に進入する。
【００２０】
全開状態では、ヒンジ３３と後蓋３２の後方自由端とを結ぶ直線方向において、ストッパ部１７は、ヒンジ３３とピン３５との間に位置する。従って、後蓋３２がストッパ部１７に当接した際、それぞれ、ヒンジ３３を力点、ストッパ部１７を支点、ピン３５を作用点とする「てこ」のような作用が生じる。通常、後蓋３２がストッパ部１７に当接した瞬間には、前蓋３１には開方向へ回動する慣性力が残っている。そのため、ストッパ部１７を支点として後蓋３２が図１の時計方向に回動することでピン３５が上昇しようとする。仮に、第２の溝幅Ｂ２が第１の溝幅Ｂ１と同じ幅で、ピン３５の直径より余裕をもって大きいとすると、開行程終了時には、上述のストッパ部１７を中心とした後蓋の回動によりピン３５が上昇することで底面２１から離れて天井面２４に当接する可能性がある。しかもその直後、ピン３５が下降して底面２１に再び当接する。あるいは、ピン３５が天井面２４と底面２１との当接を複数回繰り返す可能性もある。これらのような挙動は、後蓋３２の回動方向における、また、後蓋３２にヒンジ３３で接続されている前蓋３１の回動方向における、いわゆる「がたつき」となる。
【００２１】
しかし、本実施の形態では、全開状態においてピン３５と係合する位置の近傍の第２領域２０ｂにおいては、第２の溝幅Ｂ２を第１の溝幅Ｂ１より狭くしたので、第２領域２０ｂが、後蓋３２の回動方向のがたつきを抑制する機能を果たす。一方、第１の溝幅Ｂ１はピン３５の直径より余裕をもって大きいので、開行程の終了直前まで、ガイド溝部２０はピン３５を円滑にガイドすることができる。
【００２２】
後蓋３２がストッパ部１７に当接した直後、ピン３５が天井面２４に強く当接することで、後蓋３２の回動変位が規制される。それと共に、前蓋３１の回動変位も規制される。このように、厳密には、後蓋３２がストッパ部１７に当接すると共に、天井面２４がピン３５と当接してピン３５の変位を規制することによって、後蓋３２および前蓋３１の開行程終了位置が規制される。全開状態においては、前蓋３１は、前框１８に対して間隔を保って対峙する（図５参照）ので、前蓋３１に傷や接触痕が付くことがなく、また前框１８に緩衝材やストッパを設ける必要がない。また、全閉状態においては、ストッパ部１７は前蓋３１および後蓋３２に隠れて見えないので、外観向上に寄与する。
【００２３】
本実施の形態によれば、１つのストッパ部１７が、開行程において後蓋３２と当接することで前蓋３１および後蓋３２のそれぞれの開行程終了位置を規制する。ストッパ部１７が開行程終了位置を規制することにより、前蓋３１および後蓋３２を全開状態にする。ストッパ部１７の配設数は単一で済むので部品点数の増加を回避することができる。また、ガイド溝部２０における、開行程においてピン３５と係合する全領域のうち、蓋体３０の全開状態においてピン３５と係合する位置の近傍の第２領域２０ｂの第２の溝幅Ｂ２は、他の領域（２０ａ）における第１の溝幅Ｂ１に比し狭い。従って、開行程終了時の蓋体３０の動作の安定化を図ることができる。特に、従来のように、前蓋３１用のストッパ部と後蓋３２用のストッパ部とを別々に設けた場合、各蓋とストッパ部との当接タイミングが互いにずれると動作が不安定となる。本実施の形態ではストッパ部１７が単一であるので、当接タイミングのずれの問題は生じない。しかも、第１の溝幅Ｂ１はピン３５の直径より余裕をもって大きいので、ガイド溝部２０は開行程におけるピン３５のガイド機能を適切に果たす。よって、部品点数の増加を回避しつつ、円滑な開動作を確保すると共に、開蓋終了時の動作の安定化を図ることができる。
【００２４】
特に、第２の溝幅Ｂ２は、ピン３５の直径と同じかまたは、ピン３５の直径よりわずかに大きいので、開行程終了時における後蓋３２の回動方向のがたつきを抑制することができる。なお、第２の溝幅Ｂ２は、ピン３５の直径と略等しくてもよい。そのようにすれば、開行程終了時における後蓋３２の回動方向のがたつきを一層確実に抑制することができる。
【００２５】
また、ガイド機能を果たす被係合部であるガイド溝部２０は側板１５に形成され、ガイドされる係合部であるピン３５は後蓋３２に設けられたので、後蓋３２をコンパクトに構成することができる。
【００２６】
図６、図７で、変形例を説明する。図６は、第一変形例のガイド溝部２０を示す図である。図６に示すように、少なくとも第２領域２０ｂにおける天井面にクッション材２６を設けてもよい。この場合、第２の溝幅Ｂ２は、クッション材２６の下側の露出面と底面２１との間隔である。第２の溝幅Ｂ２は、ピン３５の直径と略等しくてもよいが、クッション材２６の圧縮範囲を考慮すれば、ピン３５の直径よりわずかに小さくてもよい。
【００２７】
なお、シート材２５を設けることは必須でない。シート材２５を設けない場合、ガイド溝部２０の実際の底面が底面２１となる。第１の溝幅Ｂ１、第２の溝幅Ｂ２については、ガイド溝部２０の実際の底面を基準とする。
【００２８】
図７は、第二の変形例の蓋構造の模式図である。部品点数の増加を回避しつつ、円滑な開動作を確保すると共に、開蓋終了時の動作の安定化を図ることに限れば、係合部および被係合部の一方はピンであり、他方はガイド溝部であるとしてもよい。従って、図７に示す第二の変形例を採用してもよい。すなわち、上記実施の形態では、ガイド溝部２０が側板１５に形成され、ピン３５は後蓋３２に設けられた。これに対し、図７に示す第二の変形例では、側板１５と後蓋３２とが有する構成要素が図１の例とは反対になっている。つまり、図７に示す第二の変形例では、係合部であるガイド溝部１２０が後蓋３２に設けられると共に、係合部をガイドするための被係合部であるピン１３５が側板１５に設けられる。
【００２９】
図７に示す第二の変形例では、側板１５からピン１３５が内側に突設されている。一方、後蓋３２から、板状部３６が下方に垂下して設けられる。ガイド溝部１２０が板状部３６に形成されている。ガイド溝部１２０は貫通した長穴であるが、止まり穴であってもよい。ピン１３５、ガイド溝部１２０がそれぞれ、ピン３５、ガイド溝部２０に対応する。ガイド溝部１２０には天井面にはシート材２５に相当するシート材１２５が貼り付けられている。
【００３０】
ガイド溝部１２０は、底面１２２、１２３、１２４と天井面１２１とを有する。シート材１２５の下側の露出面がガイド溝部１２０の天井面１２１となる。ガイド溝部１２０の長手方向における全領域は、後側から順に、第１領域１２０ａ、第２領域１２０ｂ、第３領域１２０ｃに大別される。底面１２２、１２３、１２４、天井面１２１、第１領域１２０ａ、第２領域１２０ｂ、第３領域１２０ｃがそれぞれ、図１における天井面２２、２３、２４、底面２１、第１領域２０ａ、第２領域２０ｂ、第３領域２０ｃに対応する。第１領域１２０ａにおいて、底面１２２と天井面１２１との幅が第１の溝幅Ｂ１である。第２領域１２０ｂにおいて、底面１２４と天井面１２１との幅が第２の溝幅Ｂ２である。第１の溝幅Ｂ１と第２の溝幅Ｂ２との関係は、図１の例と同様である。
【００３１】
開閉行程における動作に関し、側板１５と後蓋３２との関係が図１の例とは逆になるが、動作は基本的に同様である。全閉状態からの開行程において、後蓋３２の自重により、ピン３５に対してガイド溝部１２０の天井面１２１が摺動する。後蓋３２がストッパ部１７に当接することで、後蓋３２の開行程終了位置が規制されると、それに連動して、前蓋３１の開行程終了位置も規制される。開行程終了時には、ピン１３５は底面１２４と天井面１２１との間に嵌るように係合する。従って、図１の例と同様に、第２領域１２０ｂが、後蓋３２の回動方向のがたつきを抑制する機能を果たす。
【００３２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３３】
１６  回動支点、  １７  ストッパ部、  ２０、１２０  ガイド溝部、  ２０ａ、１２０ａ  第１領域、  ２０ｂ、１２０ｂ  第２領域、  ３０  蓋体、  ３１  前蓋、  ３２  後蓋、  ３３  ヒンジ、  ３５、１３５  ピン
【図１】
2020106750.tif 000003
【図２】
2020106750.tif 000004
【図３】
2020106750.tif 000005
【図４】
2020106750.tif 000006
【図５】
2020106750.tif 000007
【図６】
2020106750.tif 000008
【図７】
2020106750.tif 000009